(57)【特許請求の範囲】
【請求項１】
デジタル放送を復調するチューナーと、このチューナーから出力されたデータを、放送局識別情報が含まれる属性データとデコーダにより復号される放送データに分離するデマルチプレクサーと、前記放送データを復号する前記デコーダと、地域ごとのチャンネル、放送局識別情報及び隣接地域情報を備えた地域チャンネル情報を記憶するデータベースと、この地域チャンネル情報にもとづき作製される所定の地域で受信可能なチャンネル，放送局識別情報，チャンネル変更の候補としての隣接地域及びそのチャンネルを備えたチャンネル設定情報を記憶する記憶手段と、前記チューナー、前記デマルチプレクサー、前記デコーダ、前記地域チャンネル情報データベース及び前記記憶手段を制御する制御部とを有するデジタル放送受信機であって、
前記制御部が、
前記チューナー及び前記デコーダから送信されてきた情報にもとづいて、放送の受信状態を不良と判定した場合は、
前記隣接地域のチャンネルを前記チャンネル設定情報から所定の順で抽出し、この抽出したチャンネルの放送の受信状態を、前記チューナー及び前記デコーダから送信されてきた情報にもとづいて判定し、
受信状態が不良であると判定されない場合は、前記デマルチプレクサーから受信した放送局識別情報と前記チャンネル設定情報から抽出した前記放送局識別情報を比較し、
これらの放送局識別情報が一致する場合には、当該隣接地域で受信可能なチャンネル及び放送局識別情報とともに、チャンネル変更の候補としての当該隣接地域に隣接する地域及びそのチャンネルを備えたチャンネル設定情報を、前記地域チャンネル情報にもとづき作製して、前記記憶手段に保存することにより、前記チャンネル設定情報を再設定する
ことを特徴とするデジタル放送受信機。
【請求項２】
前記チャンネル設定情報から抽出された隣接地域のチャンネルとして、前記受信状態が不良と判定されたチャンネルに対応する放送局識別情報と同一の放送局識別情報をもつチャンネルが、前記隣接地域に存在しないことを示す情報が設定されている場合は、
前記制御部が、
前記地域チャンネル情報から前記隣接地域の所定のチャンネルを抽出し、このチャンネルの放送の受信状態の判定を行う
ことを特徴とする請求項１記載のデジタル放送受信機。
【請求項３】
タイマーを有する前記デジタル放送受信機であって、
前記制御部における前記タイマーからの信号受信部と、前記タイマーを除いた、前記デジタル放送受信機の各部を非動作状態とする場合に、
前記制御部が、
前記非動作状態とする際に、前記記憶手段に受信設定されているチャンネル及び放送局識別情報を記憶し、
前記タイマーからの信号により、定期的に非動作状態を一部解除して、前記チャンネルの受信状態を判定し、
受信状態が不良である場合は、前記チャンネル設定情報又は前記地域チャンネル情報から抽出された受信可能なチャンネルを、前記チューナー、前記デマルチプレクサー及び前記デコーダに設定するとともに、前記チャンネル設定情報の再設定を行い、
再び前記制御部における前記タイマーからの信号受信部と、前記タイマーを除いた、前記デジタル放送受信機の各部を非動作状態とする
ことを特徴とする請求項１又は２に記載のデジタル放送受信機。
【請求項４】
デジタル放送を復調するチューナーと、このチューナーから出力されたデータを、放送局識別情報が含まれる属性データとデコーダにより復号される放送データに分離するデマルチプレクサーと、前記放送データを復号する前記デコーダと、地域ごとのチャンネル、放送局識別情報及び隣接地域情報を備えた地域チャンネル情報を記憶するデータベースと、この地域チャンネル情報にもとづき作製される所定の地域で受信可能なチャンネル，放送局識別情報，チャンネル変更の候補としての隣接地域及びそのチャンネルを備えたチャンネル設定情報を記憶する記憶手段と、前記チューナー、前記デマルチプレクサー、前記デコーダ、前記地域チャンネル情報データベース及び前記記憶手段を制御する制御部とを有するデジタル放送受信方法であって、
前記制御部が、
前記チューナー及び前記デコーダから送信されてきた情報にもとづいて、放送の受信状態を不良と判定した場合は、
前記隣接地域のチャンネルを前記チャンネル設定情報から所定の順で抽出し、この抽出したチャンネルの放送の受信状態を、前記チューナー及び前記デコーダから送信されてきた情報にもとづいて判定し、
受信状態が不良であると判定されない場合は、前記デマルチプレクサーから受信した放送局識別情報と前記チャンネル設定情報から抽出した前記放送局識別情報を比較し、
これらの放送局識別情報が一致する場合には、当該隣接地域で受信可能なチャンネル及び放送局識別情報とともに、チャンネル変更の候補としての当該隣接地域に隣接する地域及びそのチャンネルを備えたチャンネル設定情報を、前記地域チャンネル情報にもとづき作製して、前記記憶手段に保存することにより、前記チャンネル設定情報を再設定する
ことを特徴とするデジタル放送受信方法。
【請求項５】
前記チャンネル設定情報から抽出された隣接地域のチャンネルとして、前記受信状態が不良と判定されたチャンネルに対応する放送局識別情報と同一の放送局識別情報をもつチャンネルが、前記隣接地域に存在しないことを示す情報が設定されている場合は、
前記制御部が、
前記地域チャンネル情報から前記隣接地域の所定のチャンネルを抽出し、このチャンネルの放送の受信状態の判定を行う
ことを特徴とする請求項４記載のデジタル放送受信方法。
【発明の詳細な説明】
【０００１】
【発明の属する技術分野】
本発明は、一度地域を指定してチャンネル設定をすれば、受信地域を移動しても自動的にチャンネル設定が行われ、移動先の受信地域の放送を受信することができるデジタル放送受信機及びデジタル放送受信方法に関する。
【０００２】
【従来の技術】
従来、受信機のチャンネル設定においては、使用者が画面上で受信状態を確認しながらすべて手動で設定する方法など、あるいは特開平９−１７２５８１号や特開平１０−２５７４０２号に示されるような、自動的に設定する方法及び装置等が用いられていた。
【０００３】
これらの自動設定は、チャンネル設定を行うに際し、使用者に郵便番号や電話の市外局番、地域コード等の受信地域を特定する情報を受信機に入力させ、この入力された情報にもとづいて、データベース等から該当する地域のチャンネルを取り出しチャンネル設定を行うものであった。
【０００４】
また、特開平８−２３４８９号や特開平８−１５４０３９号に示されるように、実際に放送を受信し、この受信した周波数のチャンネルパターンとチャンネル情報を保有したデータベース等に登録されているチャンネルパターンの照合を行うことで地域を特定し、チャンネル設定を行う方法なども用いられていた。
さらに、特開２００１−２４４８３２号には、受信機が別の地域に移動したときには、同一選局ボタンにて同一放送局などの放送を受信するために再スキャンが実行されるデジタル放送受信機が開示されている。
【０００５】
【発明が解決しようとする課題】
しかしながら、これらの受信機等を用いた場合であっても、受信可能なチャンネルが異なる受信地域に移動するたびに、使用者が受信機のチャンネルの再設定を行う必要があった。
すなわち、従来の受信機が有するチャンネル設定機能は、チャンネル設定自体は容易になるものの、使用者の指示なしに設定を変更することはできなかった。このため、例えば、受信機が携帯テレビなどのように頻繁に移動を行うことがある場合には、使用者はそのたびに設定変更を行う必要があるという問題があった。
【０００６】
このような状況において、同一の放送局の放送が異なるチャンネルで放送されている隣接地域へ、受信機を視聴しながら移動した場合、自動的に最小限の時間でチャンネル設定の変更が行われ、継続受信を行うことのできる受信機の提供が望まれていた。
【０００７】
本発明は、上記の事情にかんがみなされたものであり、チャンネル設定のための地域を特定する操作を一度行えば、受信地域を移動してもチャンネル設定を移動先の受信地域に適合した内容に自動的に更新することができるデジタル放送受信機及びデジタル放送受信方法の提供を目的とする。
【０００８】
【課題を解決するための手段】
上記目的を達成するため、本発明の請求項１記載のデジタル放送受信機は、デジタル放送を復調するチューナーと、このチューナーから出力されたデータを、放送局識別情報が含まれる属性データとデコーダにより復号される放送データに分離するデマルチプレクサーと、放送データを復号するデコーダと、地域ごとのチャンネル、放送局識別情報及び隣接地域情報を備えた地域チャンネル情報を記憶するデータベースと、この地域チャンネル情報にもとづき作製される所定の地域で受信可能なチャンネル，放送局識別情報，チャンネル変更の候補としての隣接地域及びそのチャンネルを備えたチャンネル設定情報を記憶する記憶手段と、チューナー、デマルチプレクサー、デコーダ、地域チャンネル情報データベース及び記憶手段を制御する制御部とを有するデジタル放送受信機であって、制御部が、チューナー及びデコーダから送信されてきた情報にもとづいて、放送の受信状態を不良と判定した場合は、隣接地域のチャンネルをチャンネル設定情報から所定の順で抽出し、この抽出したチャンネルの放送の受信状態を、チューナー及びデコーダから送信されてきた情報にもとづいて判定し、受信状態が不良であると判定されない場合は、デマルチプレクサーから受信した放送局識別情報とチャンネル設定情報から抽出した放送局識別情報を比較し、これらの放送局識別情報が一致する場合には、当該隣接地域で受信可能なチャンネル及び放送局識別情報とともに、チャンネル変更の候補としての当該隣接地域に隣接する地域及びそのチャンネルを備えたチャンネル設定情報を、地域チャンネル情報にもとづき作製して、記憶手段に保存することにより、チャンネル設定情報を再設定する構成としてある。
【０００９】
デジタル放送受信機をこのような構成にすれば、使用者は、一度デジタル放送受信機に地域情報を設定し、チャンネル設定を行いさえすれば、放送の異なる受信地域へ移動した場合には、自動的にチャンネルの設定情報の変更が行われるため、以降は自分でチャンネル設定を行う必要がない。
【００１０】
このチャンネル設定情報の自動変更は、放送を視聴しながらでも行うことができ、また、あらかじめ隣接地域の情報を作製し、受信機に登録しているため、変更に要する時間を最小限に抑えることができる。
また、チャンネル設定情報の自動変更において地域情報を特定する際に、ＧＰＳなどの位置特定のための装置を用いることなく行うことが可能となる。
【００１１】
特に、デジタル放送受信機を視聴しながら、異なる受信地域に移動した場合であって、その地域で同一放送が行われている場合には、使用者は、自分でチャンネル設定を変更することなく継続して視聴することが可能となる。
また、デジタル放送受信機を視聴しながら、異なる受信地域に移動した場合に、その地域で同一放送が行われていない場合には、使用者は、自分でチャンネル設定を変更することなく、その地域において受信することのできる所定の放送を視聴することも可能である。
なお、チャンネル設定情報におけるチャンネルの候補としては、受信機が存在する地域で行われている放送局の放送と同一の放送が行われている隣接地域のチャンネルを優先的に設定することもできる。
【００１２】
次に、本発明の請求項２記載のデジタル放送受信機は、チャンネル設定情報から抽出された隣接地域のチャンネルとして、受信状態が不良と判定されたチャンネルに対応する放送局識別情報と同一の放送局識別情報をもつチャンネルが、隣接地域に存在しないことを示す情報が設定されている場合は、制御部が、地域チャンネル情報から隣接地域の所定のチャンネルを抽出し、このチャンネルの放送の受信状態の判定を行う構成としてある。
【００１３】
デジタル放送受信機をこのような構成にすれば、移動先の異なる受信地域において、移動前と異なるチャンネルの放送を受信する場合に、地域チャンネル情報から所定のチャンネルを取得することにより行うことができる。
すなわち、受信機が存在する地域で行われている特定の放送局の放送と同一の放送が行われていない隣接地域に受信機が移動した場合にも、記憶手段に保存されている地域チャンネル情報から、所定のチャンネルを得ることができる。
【００１４】
次に、本発明の請求項３記載のデジタル放送受信機は、タイマーを有するデジタル放送受信機であって、制御部におけるタイマーからの信号受信部と、タイマーを除いた、デジタル放送受信機の各部を非動作状態とする場合に、制御部が、非動作状態とする際に、記憶手段に受信設定されているチャンネル及び放送局識別情報を記憶し、タイマーからの信号により、定期的に非動作状態を一部解除して、チャンネルの受信状態を判定し、受信状態が不良である場合は、チャンネル設定情報又は地域チャンネル情報から抽出された受信可能なチャンネルを、チューナー、デマルチプレクサー及びデコーダに設定するとともに、チャンネル設定情報の再設定を行い、再び制御部におけるタイマーからの信号受信部と、タイマーを除いた、デジタル放送受信機の各部を非動作状態とする構成としてある。
【００１５】
デジタル放送受信機をこのような構成にすれば、デジタル放送受信機を非動作状態にして、異なる受信地域に移動した場合であっても、定期的にチャンネル設定の確認が行われ、自動的にその地域に適切なチャンネル設定を行うことができる。
【００２１】
次に、本発明の請求項４記載のデジタル放送受信方法は、デジタル放送を復調するチューナーと、このチューナーから出力されたデータを、放送局識別情報が含まれる属性データとデコーダにより復号される放送データに分離するデマルチプレクサーと、放送データを復号するデコーダと、地域ごとのチャンネル、放送局識別情報及び隣接地域情報を備えた地域チャンネル情報を記憶するデータベースと、この地域チャンネル情報にもとづき作製される所定の地域で受信可能なチャンネル，放送局識別情報，チャンネル変更の候補としての隣接地域及びそのチャンネルを備えたチャンネル設定情報を記憶する記憶手段と、チューナー、デマルチプレクサー、デコーダ、地域チャンネル情報データベース及び記憶手段を制御する制御部とを有するデジタル放送受信方法であって、制御部が、チューナー及びデコーダから送信されてきた情報にもとづいて、放送の受信状態を不良と判定した場合は、隣接地域のチャンネルをチャンネル設定情報から所定の順で抽出し、この抽出したチャンネルの放送の受信状態を、チューナー及びデコーダから送信されてきた情報にもとづいて判定し、受信状態が不良であると判定されない場合は、デマルチプレクサーから受信した放送局識別情報とチャンネル設定情報から抽出した放送局識別情報を比較し、これらの放送局識別情報が一致する場合には、当該隣接地域で受信可能なチャンネル及び放送局識別情報とともに、チャンネル変更の候補としての当該隣接地域に隣接する地域及びそのチャンネルを備えたチャンネル設定情報を、地域チャンネル情報にもとづき作製して、記憶手段に保存することにより、チャンネル設定情報を再設定する方法としてある。
次に、本発明の請求項５記載のデジタル放送受信方法は、チャンネル設定情報から抽出された隣接地域のチャンネルとして、受信状態が不良と判定されたチャンネルに対応する放送局識別情報と同一の放送局識別情報をもつチャンネルが、隣接地域に存在しないことを示す情報が設定されている場合は、制御部が、地域チャンネル情報から隣接地域の所定のチャンネルを抽出し、このチャンネルの放送の受信状態の判定を行う方法としてある。
【００２２】
デジタル放送受信方法をこのような方法にすれば、使用者は、一度デジタル放送受信機に地域情報を設定し、チャンネル設定を行いさえすれば、視聴しながら異なる受信地域へ移動しても、自動的にチャンネル設定の変更が行われるため、以降は自分でチャンネル設定を行う必要がなく、視聴を続けることができる。
【００２３】
【発明の実施の形態】
以下、本発明の実施形態につき、図面を参照して説明する。
［第一実施形態］
まず、本発明の第一実施形態について、図１を参照して説明する。同図は、本実施形態におけるデジタル放送受信機の構成を示すブロック図である。
【００２４】
同図に示すように、デジタル放送受信機１は、アンテナ１−１、チューナー１−２、デマルチプレクサー１−３、デコーダ１−４、表示手段１−５、地域チャンネル情報データベース１−６、制御部１−７、記憶手段１−８及び入力手段１−９を有している。
【００２５】
アンテナ１−１は放送を受信し、チューナー１−２は、アンテナ１−１で受信した放送から、指定した受信周波数の放送を復調する。
デマルチプレクサー１−３は、チューナー１−２の出力データを、放送局識別情報を含む属性データとデコーダ１−４で復号再生する放送データに分離して、属性データを制御部１−７に、放送データをデコーダ１−４に出力する。そして、デコーダ１−４は、この放送データの復号再生を行う。
【００２６】
表示手段１−５は、デコーダ１−４で復号再生した放送や、受信地域を特定する情報を入力するための画面情報等を表示する。
地域チャンネル情報データベース１−６は、地域ごとのチャンネル、放送局識別情報及び隣接地域情報を管理するためのデータベースである。
制御部１−７は、地域チャンネル情報ファイルや、チャンネル設定情報ファイルの作製処理、受信状態の判定処理をはじめ、デジタル放送受信機全体の機能の制御を行うものである。
【００２７】
記憶手段１−８は、上記のチャンネル、放送局識別情報及び隣接地域情報にもとづいて作製される地域チャンネル情報ファイルや、この地域チャンネル情報ファイルにもとづいて作製されるチャンネル設定情報ファイル、その他、受信中のチャンネルや放送局識別情報等を記憶する。
入力手段１−９は、チャンネル設定を行うための受信地域を特定する情報や、受信するチャンネル等を指定する入力装置である。
【００２８】
次に、デジタル放送受信機における処理手順について詳細に説明する。
＜１：チャンネル設定＞
まず、入力された受信地域を特定する情報にもとづきチャンネル設定を行う動作について説明する。
【００２９】
制御部１−７は、あらかじめ記憶手段１−８などに保存された、受信地域を特定する情報の入力を行うための画面情報等を表示手段１−５に送信し、表示させることにより、使用者に対して、受信地域を特定する情報の入力を促す。
この受信地域を特定する情報とは、郵便番号、電話の市外局番、市町村名等の情報のことである。
【００３０】
次に、入力手段１−９は、受信地域を特定する情報を入力する。
受信地域を特定する情報が入力されると、制御部１−７は、この情報をキーワードにして、地域チャンネル情報データベース１−６から、特定された地域に対応するチャンネル、放送局識別情報、隣接地域情報を検索して取得するとともに、これを地域チャンネル情報ファイルとして保存する。
【００３１】
なお、この地域チャンネル情報ファイルは、地域ごとに作製しても、あるいはこのファイルのレコードに地域区分フィールドを設け、１つのファイルとして作製してもよい。
この取得した情報の例を図２に示す。同図は、特定された地域が地域識別番号０００１の地域である場合の地域チャンネル情報を表しており、この地域に４つの放送局が存在し、３つの隣接地域があることを示している。
【００３２】
ここで、チャンネル（ｃｈ）は、放送が行われているチャンネル番号を、放送局識別情報は、各チャンネルの放送を行っている放送局を識別するための識別番号を表している。また、表示名は、画面に表示する際に使用するための放送局名である。
そして、チャンネルが００となっている部分の放送局識別情報の欄に記載されているデータは、隣接地域のチャンネルを検索する際に使用する地域識別番号を示している。
【００３３】
図２の例においては、１３ｃｈで識別番号００１のＡ局、１５ｃｈで識別番号００２のＢ局、１７ｃｈで識別番号００３のＣ局、そして１９ｃｈで識別番号００４のＤ局の放送が行われており、隣接地域は地域識別番号０００２，０００３，０００４の地域であることが示されている。
【００３４】
制御部１−７は、図２における特定された地域のチャンネルから１３ｃｈ，１５ｃｈ，１７ｃｈ，１９ｃｈを放送受信可能なチャンネルと認識し、これらのチャンネル及び放送局についての情報を、記憶手段１−８にチャンネル設定情報ファイルとして登録する。
【００３５】
次に、制御部１−７は、地域識別情報における地域識別番号０００２，０００３，０００４の各地域チャンネル情報についても、地域識別番号０００１における場合と同様にして、地域チャンネル情報データベース１−６からチャンネル、放送局識別情報、隣接地域情報を抽出する。
この地域識別番号０００２，０００３，０００４の地域チャンネル情報の例を図３に示す。
【００３６】
制御部１−７は、この隣接地域の地域チャンネル情報から、地域識別番号０００１に存在する放送局識別情報と同一の放送局識別情報をもつ放送を検索する。
そして、同一の放送局識別情報が存在する場合は、その放送局識別情報に対応するチャンネルを、地域識別番号単位で一まとまりとして発見した順に第１候補、第２候補などと設定し、そのチャンネルと地域識別番号を上記のチャンネル設定情報ファイルに追加して保存する。
【００３７】
さらに、同一の放送局識別情報が存在しないチャンネルについては、そのチャンネルに００を設定し、このチャンネル及び地域識別番号を、チャンネル設定情報ファイルに追加保存する。
このとき、同一の放送局識別情報が多く存在するほど上位の候補とし、チャンネルとして００が設定される項目が多いほど下位の候補となるように、チャンネル設定情報ファイルに登録することが好ましい。
なお、チャンネル、放送局識別情報、隣接地域情報の各情報については、記憶手段１−６に記憶される地域チャンネル情報ファイルから取得するのではなく、地域チャンネル情報データベース１−８から直接抽出するようにすることも可能である。
【００３８】
以上のようにして、チャンネル設定が完了する。このようにして作製されたチャンネル設定情報ファイルを図４に示す。同図は、使用者により特定された地域の地域識別番号が０００１である場合におけるチャンネル設定情報ファイルの例である。
【００３９】
＜２：放送受信＞
次に、放送受信時の動作について説明する。
まず、制御部１−７は、記憶手段１−８に登録されたチャンネル設定情報ファイルの設定情報にもとづいて、表示手段１−５に視聴可能なチャンネルや放送局名の情報を表示する。
次に、入力手段１−９は、表示手段１−５に表示される情報にもとづいて使用者により入力、又は選択された、放送局名やチャンネル番号等を入力する。
【００４０】
そして、例えば、Ａ局の視聴を指定された場合は、制御部１−７が入力手段１−９からの入力情報にもとづいて、チューナー１−２、デマルチプレクサー１−３、デコーダ１−４に、１３ｃｈの放送を受信するための設定を行う。
チューナー１−２、デマルチプレクサー１−３、デコーダ１−４が正常に受信を行うために最低必要な時間の経過後、デジタル放送受信機１がチャンネル設定の際に特定した地域と同一の地域に存在する場合は、指定した放送が表示手段１−５に表示される。
【００４１】
このとき、制御部１−７は、チューナー１−２の受信同期状態とエラーレート状態、及びデコーダ１−４の復号時のエラー検出状態にもとづいて、受信状態の判定を行う。
また、デマルチプレクサー１−３から受信した放送に含まれている放送局識別情報を読み出し、チャンネル設定情報ファイルに登録されている放送局識別情報との比較を行う。
【００４２】
ここで、チューナー１−２の受信同期とエラーレートが正常であり、またデコーダ１−４においては復号時のエラーが発生しておらず、さらにデマルチプレクサー１−３から読み出した放送局識別情報が、チャンネル設定情報ファイルにおける受信しているチャンネルの放送識別情報（この場合は、００１）と一致した場合は、デジタル放送受信機１は、異なる受信地域に移動していないと判断できる。
【００４３】
すなわち、制御部１−７は、デジタル放送受信機１がチャンネル設定情報ファイルに登録されている地域内（この場合は、０００１地域）にあると判断する。
そして、制御部１−７は、受信状態判定のためのチューナー１−２とデコーダ１−４の監視、及び使用者による入力手段１−９からの入力の監視を続ける。
【００４４】
＜３：移動時の放送受信＞
次に、デジタル放送受信機１が受信状態のまま受信地域を移動し、移動先の受信地域で同一放送局の放送を継続受信する場合の動作について説明する。ここでは、上述の１３ｃｈを受信したデジタル放送受信機１が、地域識別番号０００２の地域へ移動する場合の動作について説明する。
【００４５】
まず、デジタル放送受信機１が、１３ｃｈの受信をしながら地域識別番号０００２の地域に移動すると、デジタル放送受信機１は１３ｃｈの放送電波を十分な強度で確保できなくなる。
その結果、チューナー１−２においては、復調のための同期信号が検出できなくなり、間違ったデータを出力したり、同期はずれが検出されたりし、やがてデータの出力が停止する。
【００４６】
また、デコーダ１−４では、チューナー１−２から間違ったデータが送信されてきたり、あるいはデータが送られて来なくなったりすることにより、復号エラーや、時間内の復号が行えないなどのエラーが発生する。
そして、制御部１−７は、チューナー１−２及びデコーダ１−４がこのような状態になったことが検出されると、受信状態が不良であると判定する。
受信状態を不良と判定した場合、制御部１−７は、記憶手段１−８に登録されているチャンネル設定情報ファイルから次候補の抽出を行う。
【００４７】
図４のチャンネル設定情報ファイルにおいて、設定情報のチャンネル（ｃｈ）に１３ｃｈが設定されている放送についての第一候補は１４ｃｈであり、その地域識別番号は０００２となっている。
これにもとづいて制御部１−７は、チューナー１−２、デマルチプレクサー１−３、デコーダ１−４を、１４ｃｈの受信を行うように設定し、チューナー１−２及びデコーダ１−４が正常な受信状態になるために必要な時間の経過後に、チューナー１−２とデコーダ１−４の状態の確認を行う。
また、デマルチプレクサー１−３から放送局識別情報を受信する。
【００４８】
このとき、チューナー１−２とデコーダ１−４の状態確認で、受信状態が良好と判定され、デマルチプレクサー１−３から読み出した放送局識別情報が００１である場合には、制御部１−７は、受信機が地域識別番号０００２の地域に移動したと判断する。
そして、記憶手段１−８に登録されているチャンネル設定情報ファイルの設定情報を地域識別番号０００２の地域チャンネル情報に変更する。
【００４９】
続いて、地域識別番号０００２の隣接地域情報を地域チャンネル情報データベース１−６から抽出する。
図３において、地域識別番号０００２の隣接地域は０００１，０００３，０００４，０００５となっている。
【００５０】
このうち地域識別番号０００１、０００３，０００４の地域の情報はすでに地域チャンネル情報データベース１−６から抽出され、地域チャンネル情報ファイルとチャンネル設定情報ファイルに登録されている。
このため、まだ登録されていない地域識別番号０００５の地域チャンネル情報を、地域チャンネル情報データベース１−６から抽出する。
【００５１】
また、地域識別番号０００２及びその隣接地域である０００１，０００３，０００４，０００５の地域以外の地域のチャンネル、放送局識別情報、隣接地域情報が、チャンネル設定情報ファイルに登録されている場合には、その情報をチャンネル設定情報ファイルから削除する。
【００５２】
そして、上述の１のチャンネル設定における動作と同様に、地域識別番号０００２の放送局識別情報とその隣接地域の地域チャンネル情報にもとづいて、チャンネル設定情報ファイルの候補データを更新する。
このように、制御部１−７によって、デジタル放送受信機１が、異なる受信地域に移動したと判定されるたびに本動作が実行され、同一放送局の放送の継続受信とチャンネル設定情報の自動更新が行われる。
【００５３】
＜４：非受信状態で移動した後の放送受信＞
次に、上記３における動作手順と同様の条件で、電源をＯＦＦにし、非受信状態のままデジタル放送受信機１を移動した場合の動作について説明する。
【００５４】
地域識別番号０００１の地域において１３ｃｈを受信していたデジタル放送受信機１に対して、入力手段１−９から非受信状態の指示を出すと、制御部１−７は、その際に受信しているチャンネル及び放送局識別情報を記憶手段１−８に保存する。
【００５５】
次に、移動先の受信地域識別番号０００２の地域において、入力手段１−９から受信開始が指示されると、制御部１−７は、記憶手段１−８から先の受信終了時に受信していたチャンネル（１３ｃｈ）を読み出し、これをチューナー１−２、デマルチプレクサー１−３、デコーダ１−４に設定して受信を開始する。
【００５６】
地域識別番号０００２の地域では１３ｃｈは放送されていないため、上述の３における場合と同様に、制御部１−７は受信状態を不良と判定し、受信チャンネルを１４ｃｈに切り替えるとともに、１４ｃｈが正常に受信できることを確認した後、チャンネル設定情報ファイルを地域識別番号０００２用に更新する。
【００５７】
＜５：同一放送が行われていない地域への移動時の放送受信＞
次に、デジタル放送受信機１が受信状態のまま受信地域を移動し、移動先の受信地域で同一の放送局の放送が行われていない場合の動作について説明する。
ここでは、地域識別番号０００１の地域において、１３ｃｈを受信していたデジタル放送受信機１を、地域識別番号０００３の地域に移動した場合を例としている。
【００５８】
上述の３における動作の場合と同様に、デジタル放送受信機１が受信地域を移動することにより、チューナー１−２、デコーダ１−４の動作状態にもとづいて、制御部１−７が受信状態を不良と判定する。
次に、制御部１−７は、チャンネル設定情報ファイルから１３ｃｈの次の候補のチャンネルとして、１４ｃｈを得る。
【００５９】
そして、制御部１−７は、チューナー１−２、デマルチプレクサー１−３、デコーダ１−４を、１４ｃｈを受信するための設定に変更して、チューナー１−２とデコーダ１−４が正常に受信を開始するために必要な時間の経過後、受信状態の判定を行う。
【００６０】
しかしながら、デジタル放送受信機１は、地域識別番号０００３の地域に移動しており、この地域においては、図３に示すように１４ｃｈを用いての放送は行われていないため、受信状態は、制御部１−７により不良と判定される。
第一候補である１４ｃｈの受信状態が不良と判定されたため、制御部１−７は、再びチャンネル設定情報ファイルから第２候補の情報を抽出する。
【００６１】
図４に示されるように、設定情報におけるチャンネル１３ｃｈに対応する第２候補の情報は００ｃｈであり、地域識別番号が０００３となっている。
チャンネルに００が設定されているものは、同一の放送局識別情報を有する放送が存在しないことを示している。
【００６２】
このとき、制御部１−７は、第２候補の地域識別番号０００３の地域チャンネル情報に最初に登録されているチャンネル及び放送局識別情報を記憶手段１−８に保存されている地域チャンネル情報ファイルから抽出する。
この例の場合では、図３によれば２１ｃｈと放送識別情報００５が抽出される。
【００６３】
次に、制御部１−７は、チューナー１−２、デマルチプレクサー１−３及びデコーダ１−４を、２１ｃｈの受信のために設定し、チューナー１−２とデコーダ１−４が正常受信するまで必要な時間の経過後に、受信状態判定を行う。
受信状態の判定結果が良好であれば、次にデマルチプレクサー１−３から受信中の放送の放送局識別情報を読み出して、地域チャンネル情報０００３ファイルから抽出した放送局識別情報と比較する。
【００６４】
そして、これらが一致すれば、制御部１−７は、デジタル放送受信機１が地域識別番号０００３の地域に移動したものと判断し、上述の３における動作の場合と同様にチャンネル設定情報ファイルの更新を行うことにより、チャンネル設定を自動的に更新する。
【００６５】
＜６：全候補の受信状態判定が不良である場合の動作＞
次に、受信中のチャンネルの受信状態判定が不良となり、かつ、このチャンネルに対応するチャンネル設定情報ファイルにおける全ての候補の受信状態判定が不良となった場合の動作について説明する。
【００６６】
地域識別番号０００１の地域で１３ｃｈを受信しているデジタル放送受信機１が、地下街、トンネルなどに入った場合、制御部１−７は、チャンネル設定情報ファイルの候補順に１４ｃｈ、地域識別番号０００３の２１ｃｈ、地域識別番号０００４の２２ｃｈの順で、前述の動作例で説明した受信状態判定を実施し、それぞれのチャンネルの受信状態について不良と判定する。
【００６７】
次に、制御部１−７は、チャンネル設定情報ファイルの設定情報における次のチャンネルの受信状態確認を行う。
すなわち、図４の場合には、次のチャンネルは１５ｃｈであり、１５ｃｈの受信状態が不良である場合には、さらに１７ｃｈ、１９ｃｈと順に受信状態判定を行う。
【００６８】
制御部１−７により、１５ｃｈ、１７ｃｈ又は１９ｃｈのいずれかの受信状態判定において受信状態が良好であるとの判定が得られた場合には、デジタル放送受信機１は地域識別番号０００１の地域内にあるものの、特定の放送が受信できない状態になっていると考えられる。
このため、制御部１−７は、使用者に対して、指定の放送が一時的に受信できない状態にあることを示す表示を表示手段１−５に行う。
【００６９】
そして、チューナー１−２、デマルチプレクサー１−３、デコーダ１−４をもとの１３ｃｈを受信する設定に戻し、受信状態の判定を継続して、受信状態が良好に戻った場合には放送の表示を再開する。
また、使用者により、放送の受信を中断する旨の指示が、入力手段１−９から入力された場合には、受信設定が行われているチャンネル及びその放送局識別情報を記憶手段１−８に記憶して受信動作を中断する。
【００７０】
制御部１−７により、１５ｃｈ、１７ｃｈ、１９ｃｈの全ての受信状態判定においての受信状態が不良であるとの判定が行われた場合は、デジタル放送受信機１が、トンネルや地下街などすべての放送が一時的に受信できない場所に移動したか、あるいは非受信状態のまま隣接地域を越えた先の地域までデジタル放送受信機１が移動した場合のいずれかであると推定される。
【００７１】
しかしながら、制御部１−７は、両者の識別を行うことができないため、使用者に対して、すべての放送の受信ができない状態であることを伝える表示を表示手段１−５に行う。
さらに、チューナー１−２、デマルチプレクサー１−３、デコーダ１−４をもとの１３ｃｈを受信する設定に戻して、受信状態の判定を継続し、受信状態が良好に戻った場合には表示を再開する。
【００７２】
また、制御部１−７は、使用者により、受信を中断する旨の指示が入力手段１−９から入力された場合には、受信設定が行われているチャンネル及びその放送局識別情報を記憶手段１−８に記憶して受信を中断する。
そして、使用者が、受信地域を特定する情報を入力し、チャンネル設定を実行する指示を行った場合には、上述の１における動作と同様にしてチャンネル設定を行う。
【００７３】
［第二実施形態］
次に、本発明の第二実施形態につき、図５を参照して説明する。同図は、本実施形態のデジタル放送受信機の構成を示すブロック図である。
本実施形態は、第一実施形態と比較して、デジタル放送受信機１がタイマー１−１０を有する点で相違する。
【００７４】
このタイマー１−１０は、制御部１−７からの設定により、一定の時間間隔で制御部１−７に対して信号を出力するものである。
以下に、このタイマー１−１０を有するデジタル放送受信機１が、非動作状態の間に受信地域を移動しない場合と、地域識別番号０００２の地域に移動する場合について説明する。
【００７５】
＜７：非動作状態中に受信地域を移動しない場合の動作＞
入力手段１−９が、使用者によるデジタル放送受信機１を非動作状態にする指示を入力すると、制御部１−７は、受信中のチャンネル及び放送局識別情報を記憶手段１−８に保存する。
そして、制御部１−７は、この制御部１−７におけるタイマー１−１０からの信号受信に必要な受信部（機能）と、タイマー１−１０を残し、他の電源をＯＦＦにして、デジタル放送受信機１を非動作状態にする。
【００７６】
このとき、制御部１−７は、アンテナ１−１、チューナー１−２、デマルチプレクサー１−３、デコーダ１−４、表示手段１−５、地域チャンネル情報データベース１−６、記憶手段１−８及び入力手段１−９の電源をＯＦＦにし、非動作状態とした後に、制御部１−７自身を、上記必要最小限の部分（機能）を残して非動作状態とする。
【００７７】
デジタル放送受信機１が非動作状態になると、タイマー１−１０は、設定された時間間隔で、制御部１−７に対して信号を出力する。
制御部１−７は、タイマー１−１０から信号が入力されると、制御部１−７自身を再起動させるとともに、アンテナ１−１、チューナー１−２、デマルチプレクサー１−３、デコーダ１−４、記憶手段１−８の電源をＯＮ状態とする。
次に、記憶手段１−８から電源ＯＦＦ動作時に保存したチャンネル及び放送局識別情報を取り出し、このチャンネルの受信に必要な設定をチューナー１−２、デマルチプレクサー１−３、デコーダ１−４に対して行う。
【００７８】
制御部１−７は、チューナー１−２とデコーダ１−４が正常に受信を開始するために必要な時間の経過後に、チューナー１−２とデコーダ１−４の動作状態から受信状態の判定を行うとともに、デマルチプレクサー１−３から放送局識別情報を読み出して、電源ＯＦＦ動作時に保存した放送局識別情報との比較を行う。
【００７９】
受信状態の判定結果が受信状態良好であり、かつ、放送局識別番号が同一である場合には、制御部１−７は、デジタル放送受信機１が非動作状態になったときと同じ地域にあると判断し、再び制御部１−７におけるタイマー１−１０からの信号受信に必要な部分と、タイマー１−１０を除いて電源をＯＦＦにする。
【００８０】
＜８：非動作状態中に地域を移動する場合の動作＞
制御部１−７は、上記の７の受信状態判定において、受信状態を不良であると判定した場合、あるいは放送局識別情報の確認において、放送局識別情報が異なった場合は、受信機が、非動作状態の間に地域を移動したと判断する。
【００８１】
そして、第一実施形態の３又は５において受信中の放送の受信状態が不良になった場合と同様に、記憶手段１−８に登録されているチャンネル設定情報ファイルから次の候補を抽出し、その受信状態と放送局識別情報の確認を行うことでデジタル放送受信機１が現在存在する地域を特定するとともに、チャンネル設定情報ファイルの内容をその地域に適した内容に更新する。
【００８２】
チャンネル設定情報ファイルの変更動作完了後、制御部１−７は、制御部１−７におけるタイマー１−１０からの信号受信に必要な受信部（機能）と、タイマー１−１０を残して他の部分（機能）の電源を再びＯＦＦにし、次にタイマー１−１０より信号が入力されるのを待つ。
以上の動作を繰り返すことにより、常にチャンネル設定情報の適否の確認を行い、デジタル放送受信機１のチャンネル設定を、この受信機が存在する地域に適した状態に維持する。
【００８３】
なお、本発明は以上の実施形態に限定されるものではなく、例えば、隣接地域のさらに隣接地域における地域チャンネル情報からも候補データを抽出することにより、非動作状態のまま隣接地域を超えた地域にまでデジタル放送受信機１が移動した場合に、全てのチャンネルの受信が不能であると判断される確率を減少させるようにするなど、適宜設計変更できるものである。
【００８４】
【発明の効果】
以上のように、本発明によれば、ＧＰＳなどの位置特定のための装置を必要とすることなく、チャンネル設定を一度行うだけで、受信地域を移動しても、使用者はチャンネル設定を行うことなく放送を受信することができる。
すなわち、同一放送局の放送が、異なるチャンネルで放送されている隣接地域に、放送を受信しながら、受信機を移動させた場合でも、使用者はチャンネル設定を行うことなく、同一放送局の視聴を継続することができる。
【００８５】
また、移動先で同一の放送局の放送が行われていない場合であっても、その地域で受信可能な放送が自動的に選択され、受信することができる。
さらに、隣接地域の放送が受信可能な地域では、受信状態の良い地域側の放送を自動選択して受信することができる。
【００８６】
また、受信機を非受信状態にする場合には、受信中のチャンネル及び放送局識別情報が保存され、次に受信可能状態としたときに、このチャンネルの放送を受信可能とするとともに、非受信状態時に移動が行われていた場合でも、自動的に、隣接地域の情報を検索し、所定の放送を受信することが可能である。
さらには、非動作状態の場合であっても、一定時間ごとに受信状態を確認することにより、常に受信機の存在する地域に適したチャンネル設定に保つことが可能である。
【図面の簡単な説明】
【図１】本発明の第一実施形態の、デジタル放送受信機の構成を示すブロック図である。
【図２】本発明の各実施形態の地域チャンネル情報ファイル（０００１地域）を示す図である。
【図３】本発明の各実施形態の地域チャンネル情報ファイル（０００２地域）（０００３地域）（０００４地域）を示す図である。
【図４】本発明の各実施形態のチャンネル設定情報ファイル（０００１地域）を示す図である。
【図５】本発明の第二実施形態の、デジタル放送受信機の構成を示すブロック図である。
【符号の説明】
１  デジタル放送受信機
１−１  アンテナ
１−２  チューナー
１−３  デマルチプレクサー（Ｄｅｍｕｘ）
１−４  デコーダ
１−５  表示手段
１−６  地域チャンネル情報データベース
１−７  制御部
１−８  記憶手段
１−９  入力手段
１−１０  タイマー
【図１】
0003976550.tif 000002
【図２】
0003976550.tif 000003
【図３】
0003976550.tif 000004
【図４】
0003976550.tif 000005
【図５】
0003976550.tif 000006